(57)【特許請求の範囲】
【請求項１】
自動販売機本体の前面を開閉する本体扉と、該本体扉に形成されサンプル商品等を展示する展示室の前面を開閉する展示扉と、該展示扉が閉じた状態で当該展示扉と前記本体扉とをロックするロック装置とを備え、前記ロック装置は、前記展示扉に取付られた係合片と、前記本体扉に取付られ該係合片と係合する係合機構とを備え、該係合機構は、上下方向にスライド移動可能であって重力によって下方に付勢されたスライダを有し、前記係合片は、下方に向かって凹んで形成され該スライダと係合する係合溝と、前記展示扉を閉じる際に該スライダを上方に案内するとともに前記係合溝に導く係合案内斜面、および前記スライダが前記係合溝に係合した状態で前記スライダを上方に移動させたとき、前記スライダに対して前記係合片を前方に案内して離脱させる離脱案内斜面を有することを特徴とする自動販売機の扉装置。
【発明の詳細な説明】
【０００１】
【発明の属する技術分野】
本発明は、展示室の前面を開閉する展示扉を備えた自動販売機の扉装置に関する。
【０００２】
【従来の技術】
展示室の前面を開閉する展示扉を備えた自動販売機の扉装置として、例えば特開平１０−２８９３６３号公報に記載されるようなものがある。このような従来の展示扉は、部外者が展示扉を開放することができないように展示扉の前面あるいは本体扉の前面に展示扉のロックを解除するためのキー差込部が設けられており、オペレータの所有する専用のキーでロックを解除することによって、展示扉が開放できるように構成されていた。
【０００３】
【発明が解決しようとする課題】
こうした従来の自動販売機の扉装置においては、展示扉のロックを解除するためのキー差込部が自動販売機の前面に露出して設けられていたために、このキー差込部を壊して展示扉を開放しようとする悪戯が発生しやすいといった不具合があった。また、自動販売機のオペレータは本体扉のキーと別個に、展示扉のロックを解除するための専用キーを持ち歩かなければならず、キーの数が倍増し、管理が煩雑になるといった不具合を有していた。
【０００４】
本発明は、こうした課題を解決するためになされたものであり、展示扉のロックを解除するためのキー差込部が自動販売機の前面に露出することなく、なおかつ展示扉用の専用キーを不要とする自動販売機の扉装置を提供するものである。
【０００５】
【課題を解決するための手段】
請求項１に記載の自動販売機の扉装置は、自動販売機本体の前面を開閉する本体扉と、該本体扉に形成されサンプル商品等を展示する展示室の前面を開閉する展示扉と、該展示扉が閉じた状態で当該展示扉と前記本体扉とをロックするロック装置とを備え、前記ロック装置は、前記展示扉に取付られた係合片と、前記本体扉に取付られ該係合片と係合する係合機構とを備え、該係合機構は、上下方向にスライド移動可能であって重力によって下方に付勢されたスライダを有し、前記係合片は、下方に向かって凹んで形成され該スライダと係合する係合溝と、前記展示扉を閉じる際に該スライダを上方に案内するとともに前記係合溝に導く係合案内斜面、および前記スライダが前記係合溝に係合した状態で前記スライダを上方に移動させたとき、前記スライダに対して前記係合片を前方に案内して離脱させる離脱案内斜面を有することを特徴とするものである。
【０００６】
この構成によれば、展示扉のロック装置を外部に露出させることなく構成できるので、悪戯による展示扉の開放を防止できるとともに、本体扉の裏面側に設けられたロック装置における係合機構のスライダを操作することによって展示扉のロックを解除するので、展示扉専用のキーを設けなくても部外者が展示扉を開放することができない。
【０００８】
また、この構成によれば、展示扉を閉じると展示扉がロックされるので、ロック操作が極めて容易である。
【００１４】
さらに、この構成によれば、スライダは重力によって付勢されているので、特別な付勢手段を設けることなく、安価に製造することができる。
【００１６】
そしてまた、この構成によれば、展示扉が閉じられた状態で、ロックを解除すべくスライダを移動させると、係合片が前方に案内されながら離脱するので、ロック解除操作によって展示扉を前方に開放させることができる。
【００１７】
【発明の実施の形態】
以下、図面を参照しながら、本発明の実施形態を詳細に説明する。
【００１８】
図１は本発明の扉装置１の正面図、図２は本発明の扉装置１の要部背面図、図３は本発明の扉装置１において展示扉３が開いた状態を示す要部斜視図である。
【００１９】
図１に示すように本発明の自動販売機の扉装置１は、自動販売機本体５の前面を開閉する本体扉２と、展示室の前面を開閉する展示扉３と、展示扉３と本体扉２とをロックするロック装置４とを備えている。
【００２０】
本体扉２は、展示室２１と、操作パネル２２と、商品取出口２３、硬貨返却口２４を備えており、展示室２１はプレス加工によって本体扉２の表面を凹ませて形成されている。この展示室２１には、展示室２１内を照明するための蛍光灯２１１、販売商品の見本であるサンプル商品２１２、サンプル商品２１２の金額等を表示するための表示パネル２１３、ポスター等の広告パネル２１４等が配設され、操作パネル２２には、金額表示器２２１、本体扉２をロックする本体ロック装置２２２、金銭投入口２２３、返却レバー等２２４が配設されている。
【００２１】
展示扉３は、アクリルで形成された透明パネル３１の周囲を金属製のサッシ３２で取り囲んで構成されたものであって、サッシ３２の左端裏側には展示扉３の開閉ヒンジ（図示せず）が取り付けられ、展示扉３はこの開閉ヒンジによって本体扉２に開閉自在に支持され、図３に示す如く展示室２１を前方に開放できるように構成されている。そして、サッシ３２の右端裏側には、図３に示すように展示扉３が閉じた状態でロックするロック装置４の係合片４１が上下２箇所に取付固定されている。一方、透明パネル３１には、購入商品を選択するための押しボタン３１１がサンプル商品２１２に対応して複数配設されている。
【００２２】
次に、図４、図５を用いてロック装置４の構成について説明する。
【００２３】
ロック装置４は、展示扉３の裏面に取付られた係合片４１と、図４に示す如く本体扉２の裏面に取付られ係合片４１と係合する係合機構４２とを備えて構成されており、展示扉３を閉じた状態では、外部からロック装置４が見えないようになっている。なお、本実施の形態では、図１、図２に示すようにロック装置４を上下２ヶ所に設けているが、上下のロック装置４は共通の構成である。
【００２４】
ロック装置４の係合機構４２は、本体扉２の裏面に固定された固定ガイド４２２と、この固定ガイド４２２と係合して上下移動可能に支持されたスライダ４２１を備えてなるものであって、スライダ４２１は前述の係合片４１と係脱するための係合シャフト４２１ｂを有し、固定ガイド４２２には、この係合シャフト４２１ｂを上下に案内する長孔４２２ａが形成されている。また、スライダ４２１の下端部には後方に延出するように形成された取っ手部４２１ａが形成されており、詳細は後術するが、この取っ手部４２１ａを上方に持ち上げることによってロック装置４のロックが解除できるようになっている。一方、係合片４１は、金属板により形成されたものであって、図５に示す如く、下方に向かって溝状に凹んで切り欠かれた係合溝４１１と、係合溝４１１の後方に形成され係合シャフト４２１ｂを係合溝４１１の上方に案内するように上斜め前方に向かって形成された係合案内斜面４１２と、係合溝４１１の上方に形成され係合溝４１１から上方に持ち上げられた係合シャフト４２１ｂが後方に案内されるように上斜め後方に向かって形成された離脱案内斜面４１３を備えて構成されている。
【００２５】
次に、このように構成されたロック装置４の動作について図５、図６を用いて説明する。
【００２６】
まず、展示扉３を閉じる際のロック装置４の動作について説明する。
【００２７】
図５ａは展示扉３が開いているときのロック装置４の状態を示す断面図である。図５ａに示すように、展示扉３が開いている状態では、スライダ４２１は重力によって下方に付勢され、係合シャフト４２１ｂが固定ガイド４２２の長孔４２２ａの下端部に支持された状態となっている。
【００２８】
この状態から展示扉３を閉じるべく、展示扉３を本体扉２に向かって押し込むと、まず、図５ｂに示すように係合案内斜面４１２に係合シャフト４２１ｂが当接し、さらに展示扉３を押し込むと係合シャフト４２１ｂが係合案内斜面４１２によって固定ガイド４２２の長孔４２２ａに沿って上方に押し上げられ、図５ｃに示すように係合溝４１１の上方に導かれる。このとき、スライダ４２１も固定ガイド４２２にガイドされつつ係合シャフト４２１ｂと一体に上方に移動する。
【００２９】
そして係合シャフト４２１ｂが係合案内斜面４１２の上端位置に達し、なお展示扉３を押し込むと、重力によって係合シャフト４２１ｂが係合溝４１１に落ち込み図６ａに示す状態となる。この図６ａの状態は展示扉３が閉じた状態であり、係合シャフト４２１ｂが係合溝４１１に係合しているため展示扉３がロックされた状態となっている。
【００３０】
次に、展示扉３を開く際のロック装置４の動作について説明する。
【００３１】
図６ａに示す展示扉３が閉じた状態から、展示扉３を開くには、まず、本体扉２の裏面に配設されているスライダ４２１を操作するために、自動販売機本体５から本体扉２を開放する必要がある。この本体扉２の開放は、オペレータ等が管理する専用キーによって本体ロック装置４を解除することによって可能となっている。このようにして本体扉２を開放した後、取っ手部４２１ａを把持してスライダ４２１を上方に持ち上げると、図６ｂに示すように係合シャフト４２１ｂが固定ガイド４２２の長孔４２２ａに沿って上方に移動し、係合溝４１１から離脱した後、離脱案内斜面４１３に当接し、さらに、スライダ４２１を上方に持ち上げると図６ｃに示すように離脱案内斜面４１３を介して係合片４１が係合シャフト４２１ｂによって前方に押し出されるように案内される。これにより、本体扉２に対して展示扉３が前方に押し出され、展示扉３が開放される。
【００３２】
このように本実施の形態では、固定ガイド４２２に上下移動可能に支持されたスライダ４２１を上方に移動させることで、ロック装置４のロックを解除することができるように構成されている。すなわち、この固定ガイド４２２とスライダ４２１とがロック解除手段として作用するものである。
【００３３】
そして、以上に詳述した本実施の形態によれば、展示扉のロック解除手段を外部に露出させることなく構成できるので、悪戯による展示扉の開放を防止できるとともに、本体扉２の裏面側に設けられたスライダ４２１を操作することに展示扉３のロックを解除するので、展示扉３専用のキーをもうけなくても部外者が展示扉３を開放することができない。
【００３４】
また、展示扉３を閉じると展示扉３がロックされるので、ロック操作が極めて容易である。
【００３５】
また、スライダ４２１を上方に移動させる操作でロックを解除することができるので、ロック解除操作が容易である。
【００３６】
また、取っ手部４２１ａによってスライダ４２１の移動操作を容易に行うことができる。
【００３７】
また、スライダ４２１は重力によって下方に付勢されているので、特別な付勢手段を設けることなく、安価に製造することができる。
【００３８】
また、展示扉３が閉じられた状態で、ロック解除すべくスライダ４２１を移動させると、係合片４１が前方に案内されながら離脱するので、ロック解除操作によって展示扉３を前方に開放させることができるものである。
【００３９】
なお、本実施の形態では、ロック装置４のスライダ４２１が上下移動する構成を示して説明したが、バネ等の付勢手段を用いてスライダ４２１を一方に付勢するようにすれば、左右移動するスライダ４２１を用いても同様のロック装置を構成することができる。したがって、スライダ４２１は上下移動する構成に限られたものではない。
【００４０】
また、本実施の形態では、ロック装置４を上下２個設けて構成した例を示したが、ロック装置４の数及び取りつけ位置は、展示扉３の大きさ等に応じて適宜決められるものであり、これに限られたものではない。
【００４１】
【発明の効果】
本発明によれば、展示扉のロック装置を外部に露出させることなく構成できるので、悪戯による展示扉の開放を防止できるとともに、本体扉の裏面側に設けられたロック装置における係合機構のスライダを操作することによって展示扉のロックを解除するので、展示扉専用のキーを設けなくても部外者が展示扉を開放することができない。特に、前記係合片は、前記スライダが前記係合溝に係合した状態で前記スライダを上方に移動させたとき、前記スライダに対して前記係合片を前方に案内して離脱させる離脱案内斜面を有することにより、展示扉が閉じられた状態で、ロックを解除すべくスライダを移動させると、係合片が前方に案内されながら離脱するので、ロック解除操作によって展示扉を前方に開放させることができる。
【図面の簡単な説明】
【図１】本発明の扉装置の正面図である。
【図２】本発明の扉装置の要部背面図である。
【図３】本発明の扉装置において展示扉が開いた状態を示す自動販売機の要部斜視図である。
【図４】展示扉が閉じた状態のロック装置の斜視図である。
【図５】展示扉を閉じるときのロック装置の動作を説明するための断面図である。
【図６】展示扉を開くときのロック装置の動作を説明するための断面図である。
【符号の説明】
１      扉装置
２      本体扉
３      展示扉
４      ロック装置
５      自動販売機本体
２１    展示室
４１    係合片
４２    係合機構
２１２  サンプル商品
４１１  係合溝
４１２  係合案内斜面
４１３  離脱案内斜面
４２１  スライダ
４２１ａ  取っ手部
４２１ｂ  係合シャフト
４２２  固定ガイド
【図１】
0004244535.tif 000002
【図２】
0004244535.tif 000003
【図３】
0004244535.tif 000004
【図４】
0004244535.tif 000005
【図５】
0004244535.tif 000006
【図６】
0004244535.tif 000007